(57)【要約】【課題】不必要時には折りたため、必要時に柔軟な収納を可能にした簡易な折りたたみ収納具を提供すること。【解決手段】二つの開閉可能なパネル体（１）（２）を回動軸部（４）により構成し、開いた状態のその前面である一面に柔軟なネット（３）が、パネル体を開いた状態には角囲い体を形成するよう装着する。さらに、上蓋部（５）をその角囲い体の上部にかぶせて留め具（７）によって留めることで収納物をその角囲い体に確保しすることを可能にした。【選択図】図１
2010202405.tif 000002
【特許請求の範囲】
【請求項１】
二つの開閉可能なパネル体（１）（２）を回動軸部（４）により構成し、開いた状態のその前面である一面にパネル体の横幅と同じ程度の幅の柔軟なネット（３）を、パネル体を開いた状態には角囲い体を形成するように装着する。さらに、上蓋部（５）をその角囲い体の上部にかぶせて留めることで収納物をその角囲い体に確保することを特徴とする折りたたみ収納具。
【請求項２】
中央パネル体の縦両端に開閉可能なパネル体（１）（２）を回動軸部（４）により構成し、開いた状態のその前面である一面に中央パネル体の横幅と同じ程度の幅の柔軟なネット（３）をパネル体を開いた状態には角囲い体を形成するよう装着する。さらに、ネットをその角囲い体の上部にかぶせて留めることで収納物をその角囲い体に確保することを特徴とする折りたたみ収納具。
【発明の詳細な説明】
【技術分野】
【０００１】  本発明は、家庭用ごみ袋や物品の保管に際し一時的に収納する折りたたみ式の簡易な収納具を提供するものである。
【背景技術】
【０００２】ねいぐるみなど重くは無いが子供が遊んで片付ける場合など以外にその入れ物の大きなことに困る事がある。ダンボールなどは柔軟性が無く、中に入れた物が分かりづらいからである。ボールもそうである。バレーボールなど比較的大きなものは屋外では風に動かされ易く、ボール収納籠などは重くて運ぶのは大変である。【０００３】また、同じく収納となると、一時的ではあるがゴミの入ったゴミ袋の収納がある。現在の家庭用ごみの多くは、ゴミ袋に入れ回収日に指定場所に出すのが一般的である。その場合、その収集日までは、貯まったゴミ袋を室内に留めるか室外に出しておくことと成り、袋は重ねて置いても安定性は無く平たく置くと場所も要り、室外に放置すると害鳥に荒らされることもあり大変不衛生であった。また最近は集積場所に集められたごみ袋の上にネットを覆いかぶせてあることもあるが、ネットが丁寧に掛けてなかったり、風にあおられてゴミ袋がむき出しになったりするばかりか、ゴミ袋自体が道路にはみ出したりし、通行上の妨げにもなることも少なく無かった。
【発明の概要】
【発明が解決しようとする課題】
【０００４】上記従来の問題にあるように、常時必要とはしないが必要な時期においてはしかるべき場所を提供し、その場所は出来るだけ小さ事が要求された。対外試合などで多くのボールを収納する場所がなく、控え選手が持っていたボールが競技場所に入ってしまう事などはよく有ることである。また、収納された物品が除かれた際には、その収納具が出来るだけ場所を占有しない、あるいは、その収納具がそこから取り除かれることが必要であった。さらに、収納時の大きさや数量による柔軟性と衛生面、取り分けゴミ袋は室外における害鳥などによるゴミの散逸を防ぐ必要があった。現在ゴミ集積場所の多くは据え置き型の設置場所占有型であるものが多かった。【０００５】そこで本発明は、不要時には折りたためるように持ち運びを便利にし、且つ二つ以上のパネル体の前面に柔軟な繊維質のネットを一面に有する事で開放時に収納物を柔軟に収納可能にした。また、上部の蓋に前面と同質のネットを用い、留め具にて蓋を閉めた時開き止めをし収納をより確実にし、必要時に柔軟な収納を可能にした簡易な折りたたみ収納具を提供することを目的している。
【課題を解決するための手段】
【０００６】  本発明は、上記従来例の問題を解決すべく、二つの開閉可能なパネル体を有し、開いた状態のその前面である一面に柔軟なネットを装着し、パネル体を開き角囲い体を形成する。さらに、ネットをその角囲い体の上部にかぶせて留めることで収納物をその角囲い体に確保する。
【発明の効果】
【０００７】本発明は以上のような構成により、未使用時には折りたたんで狭くする事ができ場所を必要としない。使用時にはパネル体を開き角枠体を構成し、一面に柔軟なネットを使用することで効率よく収納物を積み上げる事が可能である。また装着された上蓋部を収納物に覆いかぶせ留め具によって開き防止をする事により、風で収納物であるところのゴミ袋等が飛ばされる事も無く、害鳥からの被害を回避する効果が今までよりも期待できる。また、持ち運びも簡単で常に集積場所等を占有することなく不当なゴミ袋出しなども防ぐ効果もある。
【図面の簡単な説明】
【０００８】
【図１】本発明の実施例１の斜視図である。
【図２】本発明の実施例２の斜視図である
【図３】本発明の実施例３の斜視図である
【発明を実施するための形態】
【０００９】以下実施例によって形態の説明をする。
【実施例１】
【００１０】図１を参照して本発明の機能と構造の実施例を説明する。
図１は請求項１の実施に係る折りたたみ収納具の構成を示す斜視図である。
折りたたみ収納具１はパネル体（１）の一方の外枠（８）縦部にパネル体（２）の一方の外枠（８）縦部を回動軸部（４）により可回動に取り付ける。その相対する側の各外枠（８）縦部に装着された一部もしくは、全部にネット（３）をパネル体（１）及びパネル体（２）の横幅と同じ程度の横幅にて装着する。これにより使用時にパネル体（１）、パネル体（２）を開く事により開いた側の面にネットが張られる状態となり角囲い体を形成することが出来、一面がネットである事により柔軟な収納が出来る。また、折りたたんだ場合はネット（３）が緩くなり極めて小さくする事と成る。さらに、開かれた場合には前面から結束されていないネット（３）の上蓋部（５）部分を上部に覆いかぶせネット留め具（７）に引っ掛け固定する。以上の構成である。【００１１】具体的には、パネル体（１）パネル体（２）は金網、アルミ網、板状の鉄、アルミやプラスティック素材で出来た板などをその枠内に具備し、回動軸部（４）には丁番、ヒンジコイル、あるいは、パネル体（１）パネル体（２）にパイプ状のものを装着し、ピンを通しておくことが考えられる。また、ネット（３）上蓋部（５）は園芸用やゴルフ場などで使われる繊維質なものがある。またネットの結束にはネットをパネル体外枠（８）に紐状のもので通しておくことが有効である、結束具（９）。ネット留め具（７）はネットが引っかかるよう鈎状のものであれば良い。尚、パネル体の枠となる外枠（８）は鉄やアルミなどのパイプや線材が考えられる。
【実施例２】
【００１２】図２は請求項２の実施に係る折りたたみ収納具の構成を示す斜視図である。
パネル体（１）の一方外枠（８）の縦部にパネル体（６）の一方の外枠（８）縦部を回動軸部（４）により可回動に取り付ける。そのパネル体（６）のもう一方の外枠（８）縦部を回動軸部（４）によりパネル体（２）の一方の外枠（８）縦部を可回動に取り付ける。そのパネル体（１）及びのパネル体（２）の可回動に取り付けられた外枠（８）縦部に相対する側の外枠（８）縦部に一部もしくは、全部にパネル体（６）の横幅と同じ程度の横幅でネット（３）を張るように装着する。これにより使用時にパネル体（１）、パネル体（２）を開く事により開いた側の面にネットが張られる状態となり角囲い体を形成することが出来、一面がネットである事により柔軟な収納が出来る。また、折りたたんだ場合はネットが緩くなり全体の幅を極めて狭くする事と成る。開かれた場合には前面から結束されていないネットの上蓋部（５）部分を上部に覆いかぶせネット留め具（７）に引っ掛け固定する。以上の構成である。【００１３】具体的には、パネル体（１）パネル体（２）パネル体（６）は金網、アルミ網、板状の鉄、アルミやプラスティック素材で出来た板などをその枠内に具備し、回動軸部（４）には丁番、ヒンジコイル、あるいは、パネル体（１）パネル体（２）にパイプ状のものを装着し、ピンを通しておくことが考えられる。また、ネット（３）上蓋部（５）は園芸用やゴルフ場などで使われる繊維質なものがある。またネットの結束にはネットをパネル体の外枠（８）に紐状のもので通しておくことが有効である、結束具（９）。ネット留め具（７）はネットが引っかかるよう鈎状のものであれば良い。尚、パネル体の枠となる外枠（８）は鉄やアルミなどのパイプや線材が考えられる。
【実施例３】
【００１４】図３を参照して本発明の機能と構造の実施例を説明する。
上記実施例１及び実施例２はネット（３）の上蓋部（５）を本体を開いた時に下から上部へ覆いかぶせるようにしたものであが、実施例３はその上蓋部（５）がネット（３）とは別に設けられる。図３によってこの構造を実施例１を基に説明する。実施例１及び実施例２は前面に張られたネットの張られていない部分である上蓋部（５）を、使用時の角囲い体になった上部に多いかぶせ、留め具（７）によりひっかける形態をとっている。この実施例３はパネル体のいずれか外枠（８）上部に上蓋部（５）の一辺を装着し、上から下へたらすように使用ことを提供するものである。この場合、上蓋部（５）のネットの外枠（８）上部に装着されていないいずれかの辺に留め具（７）を取り付けておく事となる。使用時はまずパネル体（１）（２）を開いてネット（３）を張った状態にし上蓋部（５）を後方へ跳ね上げておく、物品の収納が終わったら上蓋部（５）を前面のネット（３）方向へたらすように覆いかぶせ、留め具（７）をネット（３）の任意の位置にはずれ防止のためにひっかける。【００１５】本発明は上記実施例１〜３における構造、材料、など適宜組み合わせて実施することが出来る。また、本発明の目的の範囲を逸脱しない限りにおいては適宜変更して実施することが可能である。
【符号の説明】
【００１６】パネル体（１）
パネル体（２）
ネット（３）
回動軸部（４）
上蓋部（５）
パネル体（６）
留め具（７）
外枠（８）
結束具（９）
【図１】
2010202405.tif 000003
【図２】
2010202405.tif 000004
【図３】
2010202405.tif 000005